(57)【要約】【課題】液晶表示装置を薄型化することを目的とする。【解決手段】液晶表示装置は、液晶表示パネル１０と、エッジライト方式のバックライト２４と、を有する。バックライト２４は、光源２８と、光源２８から入射した光を面状に照射する発光面３２を有して液晶表示パネル１０に重ねられる導光板２６と、を含む。光源２８は、液晶表示パネル１０と重ならないように、液晶表示パネル１０の側方であって、導光板２６の端面３０に対向するように位置する。【選択図】図４
2014085545.tif 000002
【特許請求の範囲】
【請求項１】
液晶表示パネルと、
エッジライト方式のバックライトと、
を有し、
前記バックライトは、光源と、前記光源から入射した光を面状に照射する発光面を有して前記液晶表示パネルに重ねられる導光板と、を含み、
前記光源は、前記液晶表示パネルと重ならないように、前記液晶表示パネルの側方であって、前記導光板の端面に対向するように位置することを特徴とする液晶表示装置。
【請求項２】
請求項１に記載された液晶表示装置において、
前記液晶表示パネルは、一対の基板を有し、
一方の前記基板にフレキシブル配線基板が接続され、
前記光源は、前記フレキシブル配線基板に搭載されて、前記フレキシブル配線基板が接続された前記一方の前記基板の端面の側方に位置することを特徴とする液晶表示装置。
【請求項３】
請求項２に記載された液晶表示装置において、
前記フレキシブル配線基板は、前記光源が搭載された第１面で前記一方の前記基板と接続し、前記液晶表示パネルに電気的に接続する信号配線を有し、
前記信号配線は、前記液晶表示パネルから前記光源までの領域では前記第１面上を通り、前記光源の搭載領域では前記第１面とは反対の第２面上を通ることを特徴とする液晶表示装置。
【請求項４】
請求項１から３のいずれか１項に記載された液晶表示装置において、
前記導光板は、前記液晶表示パネルと対向する対向部分と、前記液晶表示パネルとの対向位置から突出する突出部分と、を含み、
前記光源が対向する前記端面は、前記突出部分に形成されていることを特徴とする液晶表示装置。
【請求項５】
請求項４に記載された液晶表示装置において、
前記導光板は、前記光源が対向する前記端面の方向に厚みが大きくなる端部を有し、
前記端部の少なくとも一部が前記突出部分であることを特徴とする液晶表示装置。
【請求項６】
請求項４又は５に記載された液晶表示装置において、
前記突出部分の前記端面側の端部は、凹部を有し、
前記光源は、前記凹部に収容されていることを特徴とする液晶表示装置。
【請求項７】
請求項１から６のいずれか１項に記載された液晶表示装置において、
前記バックライトは、前記光源及び前記導光板を内側に収容するフレームを含み、
前記フレームは、前記液晶表示パネルの前記光源に隣り合う端部を避けて、前記液晶表示パネルに貼り付けられていることを特徴とする液晶表示装置。
【発明の詳細な説明】
【技術分野】
【０００１】
本発明は、液晶表示装置に関する。
【背景技術】
【０００２】
液晶表示装置は、点光源を導光板で面光源に変換する構造のバックライトによって明るい表示が可能になっている。導光板は液晶表示パネルに重ねられ、点光源として使用される発光ダイオードなどの発光部品も液晶表示パネルに重ねられることが一般的であった（特許文献１）。
【先行技術文献】
【特許文献】
【０００３】
【特許文献１】特開２０１０−６２０１６号公報
【発明の概要】
【発明が解決しようとする課題】
【０００４】
近年、液晶表示装置の薄型化が要求されているが、液晶表示パネルに重なる発光部品の厚みによって、液晶表示装置の薄型化が阻害されている。
【０００５】
本発明は、液晶表示装置を薄型化することを目的とする。
【課題を解決するための手段】
【０００６】
（１）本発明に係る液晶表示装置は、液晶表示パネルと、エッジライト方式のバックライトと、を有し、前記バックライトは、光源と、前記光源から入射した光を面状に照射する発光面を有して前記液晶表示パネルに重ねられる導光板と、を含み、前記光源は、前記液晶表示パネルと重ならないように、前記液晶表示パネルの側方であって、前記導光板の端面に対向するように位置することを特徴とする。本発明によれば、光源と液晶表示パネルが重ならないので、液晶表示装置を薄型化することができる。
【０００７】
（２）（１）に記載された液晶表示装置において、前記液晶表示パネルは、一対の基板を有し、一方の前記基板にフレキシブル配線基板が接続され、前記光源は、前記フレキシブル配線基板に搭載されて、前記フレキシブル配線基板が接続された前記一方の前記基板の端面の側方に位置することを特徴としてもよい。
【０００８】
（３）（２）に記載された液晶表示装置において、前記フレキシブル配線基板は、前記光源が搭載された第１面で前記一方の前記基板と接続し、前記液晶表示パネルに電気的に接続する信号配線を有し、前記信号配線は、前記液晶表示パネルから前記光源までの領域では前記第１面上を通り、前記光源の搭載領域では前記第１面とは反対の第２面上を通ることを特徴としてもよい。
【０００９】
（４）（１）から（３）のいずれか１項に記載された液晶表示装置において、前記導光板は、前記液晶表示パネルと対向する対向部分と、前記液晶表示パネルとの対向位置から突出する突出部分と、を含み、前記光源が対向する前記端面は、前記突出部分に形成されていることを特徴としてもよい。
【００１０】
（５）（４）に記載された液晶表示装置において、前記導光板は、前記光源が対向する前記端面の方向に厚みが大きくなる端部を有し、前記端部の少なくとも一部が前記突出部分であることを特徴としてもよい。
【００１１】
（６）（４）又は（５）に記載された液晶表示装置において、前記突出部分の前記端面側の端部は、凹部を有し、前記光源は、前記凹部に収容されていることを特徴としてもよい。
【００１２】
（７）（１）から（６）のいずれか１項に記載された液晶表示装置において、前記バックライトは、前記光源及び前記導光板を内側に収容するフレームを含み、前記フレームは、前記液晶表示パネルの前記光源に隣り合う端部を避けて、前記液晶表示パネルに貼り付けられていることを特徴としてもよい。
【図面の簡単な説明】
【００１３】
【図１】本発明の実施形態に係る液晶表示装置の表面図である。
【図２】本発明の実施形態に係る液晶表示装置の裏面図である。
【図３】図１に示す液晶表示装置のIII−III線断面図である。
【図４】本発明の実施形態に係る液晶表示装置の分解斜視図である。
【発明を実施するための形態】
【００１４】
以下、本発明の実施形態について図面を参照して説明する。
【００１５】
図１は、本発明の実施形態に係る液晶表示装置の表面図である。図２は、本発明の実施形態に係る液晶表示装置の裏面図である。図３は、図１に示す液晶表示装置のIII−III線断面図である。
【００１６】
液晶表示装置は、液晶表示パネル１０を有する。液晶表示パネル１０は、一対の基板１２，１４（いずれも例えばガラス基板）を有し、両者間には図示しない液晶が介在する。一方の基板１２は、薄膜トランジスタ、画素電極及び配線などを含むＴＦＴ（Thin Film Transistor）基板（又はアレイ基板）であり、他方の基板１４はカラーフィルタ基板である。液晶表示パネル１０には、液晶を駆動するためのドライバ回路を内蔵する集積回路チップ１６が搭載されている。液晶表示パネル１０の一対の基板１２，１４には、それぞれ、偏光板１８が貼り付けられている。液晶表示パネル１０の一方の基板１２にフレキシブル配線基板２０が接続されている。フレキシブル配線基板２０は、その第１面２２（図３参照）で一方の基板１２と接続する。
【００１７】
液晶表示装置は、図３に示すように、エッジライト方式のバックライト２４を有する。バックライト２４は、導光板２６及び光源２８を有する。光源２８は導光板２６の端面３０に対向する。導光板２６は、光源２８から入射した光を面状に照射する発光面３２を有する。導光板２６は、液晶表示パネル１０に重ねられている。導光板２６の表面（発光面３２）は、液晶表示パネル１０の裏面に対向している。液晶表示パネル１０の裏面の端部には、遮光性シート３４（例えば両面テープ）が貼り付けられている。これにより、液晶表示パネル１０の、画像を表示する領域の外側領域に、導光板２６から光が入射することを防止している。
【００１８】
液晶表示パネル１０と導光板２６の間には光学シート群３６が配置されている。光学シート群３６は、拡散シート及びプリズムシートなどを含む。また、導光板２６の下（光学シート群３６とは反対側）には反射シート３８が配置されている。
【００１９】
導光板２６は、液晶表示パネル１０と対向する対向部分４０を含む。導光板２６は、液晶表示パネル１０との対向位置から突出する突出部分４２を含む。導光板２６の光源２８が対向する端面３０は、突出部分４２に形成されている。突出部分４２は、光源２８が対向する端面３０の方向に厚みが大きくなっている。突出部分４２の最も厚い部分が、光源２８が対向する端面３０である。突出部分４２の液晶表示パネル１０を向く面は、液晶表示パネル１０の裏面よりも高い位置にある。
【００２０】
光源２８は、例えば発光ダイオードである。光源２８は、液晶表示パネル１０の側方に配置されている。光源２８は、液晶表示パネル１０と重ならないように配置されている。光源２８は、導光板２６の端面３０に対向するように位置する。光源２８は、フレキシブル配線基板２０の第１面２２に搭載されている。フレキシブル配線基板２０が接続された一方の基板１２の端面の側方に、光源２８が位置する。本実施形態によれば、光源２８と液晶表示パネル１０が重ならないので、液晶表示装置を薄型化することができる。
【００２１】
フレキシブル配線基板２０は、液晶表示パネル１０に電気的に接続する信号配線４４を有する。信号配線４４は、液晶表示パネル１０から光源２８の手前（光源２８よりも液晶表示パネル１０に近い位置）までの領域では第１面２２上を通る。信号配線４４は、光源２８の搭載領域では第１面２２とは反対の第２面４６上を通る。信号配線４４は、光源２８の搭載領域よりも液晶表示パネル１０から遠い領域では第２面４６上を通る。
【００２２】
図４は、本発明の実施形態に係る液晶表示装置の分解斜視図である。導光板２６の突出部分４２の端面３０側の端部は、凹部４８を有する。凹部４８は、液晶表示パネル１０との対向部分４０の方向に窪み、その底面が端面３０である。光源２８は、凹部４８に収容されている。バックライト２４は、光源２８及び導光板２６を内側に収容するフレーム５０を含む。フレーム５０には両面テープ５２（図３参照）によって反射シート３８が貼り付けられている。フレーム５０は、例えば樹脂からなる。フレーム５０は、枠状の形状を有し、枠の内側のスペースを覆うように枠の一方の面に液晶表示パネル１０が貼り付けられている。フレーム５０は、液晶表示パネル１０の光源２８に隣り合う端部を避けて、液晶表示パネル１０に貼り付けられている。
【００２３】
本発明は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００２４】
１０  液晶表示パネル、１２  基板、１４  基板、１６  集積回路チップ、１８  偏光板、２０  フレキシブル配線基板、２２  第１面、２４  バックライト、２６  導光板、２８  光源、３０  端面、３２  発光面、３４  遮光性シート、３６  光学シート群、３８  反射シート、４０  対向部分、４２  突出部分、４４  信号配線、４６  第２面、４８  凹部、５０  フレーム、５２  両面テープ。
【図１】
2014085545.tif 000003
【図２】
2014085545.tif 000004
【図３】
2014085545.tif 000005
【図４】
2014085545.tif 000006